(57)【要約】【課題】籤の売れ行きにリアルタイムに対応できる販売、在庫の管理を実現し、かつ、売り場係員の負担を軽減する。【解決手段】籤販売管理装置において、データ生成部１２が発売される籤に関する基本的情報を基に、発売枚数分の証票に印刷する。そして販売情報管理部１３が生成された販売情報を基に印刷済みで配送先が未定の証票が存在する場合、その証票の配送指示を行い、印刷済みの証票が存在しない場合、未印刷の整理番号を持つ証票の印刷指示を行い、販売情報のそれぞれの該当するデータ項目を更新する。【選択図】      図２
2004199582.tif 000002
【特許請求の範囲】
【請求項１】
売り場端末とは通信網を介して接続される籤販売管理装置であって、
発売される籤に関する基本的情報を基に、発売枚数分の証票に印刷する籤データ及び販売情報を生成するデータ生成手段と、
前記生成された販売情報を基に、印刷済みで配送先が未定の証票が存在する場合、その証票の配送指示を行い、印刷済みの証票が存在しない場合、未印刷の整理番号を持つ証票の印刷指示を行い、前記販売情報のそれぞれの該当するデータ項目を更新する販売情報管理手段と、
を備えたことを特徴とする籤販売管理装置。
【請求項２】
前記販売情報管理手段は、
前記売り場端末から籤が販売された情報を受信し、前記販売情報を更新する販売情報更新手段を備えることを特徴とする請求項１に記載の籤販売管理装置。
【請求項３】
前記販売情報を基に、未印刷の整理番号に相当する証票の印刷指示を行うと共に配送指示を行い、前記指示された整理番号の証票を前記データ生成手段により生成される籤データに基づき印刷、あるいは配送後、前記販売情報のそれぞれの該当するデータ項目を更新する在庫情報管理手段と、
を備えたことを特徴とする請求項１または請求項２に記載の籤販売管理装置。
【請求項４】
前記売り場端末からの要求に基づき証票の当せん照合を行い、その結果を、前記通信網を介して前記要求のあった売り場端末に応答する当せん照合処理手段と、
を備えたことを特徴とする請求項１〜３のいずれか１項に記載の籤販売管理装置。
【請求項５】
前記販売情報に基づき、配送先、または発売地域毎の残当せん本数データを前記売り場端末へ配信する残当せん本数データ配信手段と、
を備えたことを特徴とする請求項１〜４のいずれか１項に記載の籤販売管理装置。
【請求項６】
売り場端末とは通信網を介して接続される籤販売管理装置に用いられる籤販売管理方法であって、
発売される籤に関する基本的情報を基に、発売枚数分の証票に印刷する籤データ及び販売情報を生成し、
前記生成された販売情報を基に、印刷済みで配送先が未定の証票が存在する場合、その証票の配送指示を行い、印刷済みの証票が存在しない場合、未印刷の整理番号を持つ証票の印刷指示を行い、前記販売情報のそれぞれの該当するデータ項目を更新すること、
を特徴とする籤販売管理方法。
【請求項７】
前記売り場端末から籤が販売された情報を受信し、前記販売情報を更新すること、
を特徴とする請求項６に記載の籤販売管理方法。
【請求項８】
前記販売情報を基に、未印刷の整理番号に相当する証票の印刷指示を行うと共に配送指示を行い、前記指示された整理番号の証票を前記籤データに基づき印刷、あるいは配送後、前記販売情報のそれぞれの該当するデータ項目を更新すること、
を特徴とする請求項６または請求項７に記載の籤販売管理方法。
【請求項９】
前記売り場端末からの要求に基づき証票の当せん照合を行い、その結果を、前記通信網を介して前記要求のあった売り場端末に応答すること、
を特徴とする請求項６〜８のいずれか１項に記載の籤販売管理方法。
【請求項１０】
前記販売情報に基づき、配送先、または発売地域毎の残当せん本数データを前記売り場端末へ配信すること、
を特徴とする請求項６〜９のいずれか１項に記載の籤販売管理方法。
【請求項１１】
売り場端末とは通信網を介して接続される籤販売管理装置に用いられる籤販売管理プログラムであって、
発売される籤に関する基本的情報を基に、発売枚数分の証票に印刷する籤データ及び販売情報を生成するデータ生成ステップと、
前記生成された販売情報を基に、印刷済みで配送先が未定の証票が存在する場合、その証票の配送指示を行い、印刷済みの証票が存在しない場合、未印刷の整理番号を持つ証票の印刷指示を行い、前記販売情報のそれぞれの該当するデータ項目を更新する販売情報管理ステップと、
をコンピュータに実行させる籤販売管理プログラム。
【請求項１２】
前記販売情報管理ステップは、前記売り場端末から籤が販売された情報を受信し、前記販売情報を更新する販売情報更新ステップと、
をコンピュータに実行させる請求項１１に記載の籤販売管理プログラム。
【請求項１３】
前記販売情報を基に、未印刷の整理番号に相当する証票の印刷指示を行うと共に配送指示を行い、前記指示された整理番号の証票を前記籤データに基づき印刷、あるいは配送後、前記販売情報のそれぞれの該当するデータ項目を更新する在庫情報管理ステップと、
をコンピュータに実行させる請求項１１または請求項１２に記載の籤販売管理プログラム。
【請求項１４】
前記売り場端末からの要求に基づき証票の当せん照合を行い、その結果を、前記通信網を介して前記要求のあった売り場端末に応答する当せん照合処理ステップと、
をコンピュータに実行させる請求項１０〜１３のいずれか１項に記載の籤販売管理プログラム。
【請求項１５】
前記販売情報に基づき、配送先、または発売地域毎の残当せん本数データを前記売り場端末へ配信する残当せん本数データ配信ステップと、
をコンピュータに実行させる請求項１０〜１４のいずれか１項に記載の籤販売管理プログラム。
【発明の詳細な説明】
【０００１】
【発明の属する技術分野】
本発明は、売り場端末とは通信網を介して接続され、販売管理、在庫管理、当せん管理等の少なくとも一つをオンラインで行う、籤販売管理装置及び方法、並びに販売管理プログラムに関する。
【０００２】
【従来の技術】
従来から籤は販売管理元の指揮下で工場において製造（印刷）が行われ、納品された籤は売り場に配送され、売り場で一般顧客に販売される（例えば、特許文献１参照。）。従って、籤の売れ行きは売り場の係員のみが知ることとなり、オフラインで管理元への販売報告がなされる。売り場係員が管理元に電話等で過不足を連絡し、これを受けた管理元が補充、もしくは引取りを行い、在庫の不足の連絡を受けて工場に追加のための製造指示を行うことになる。
【０００３】
【特許文献１】
特開２００２−１２３６４４号公報
【０００４】
【発明が解決しようとする課題】
このため、売れ行きの状況によっては、納品のタイミングに従い需要と供給のバランスが崩れることがあり、必ずしも的確な販売管理、在庫管理がなされているとはいえなかった。
また、当せん照合も売り場で行なわれるため、証票の回収と当せん情報の消しこみ作業が発生し、そのための売り場係員の負担が大きかった。更に、顧客にとっても、発売終了時期が近づくと残りの当せん本数等を知りたいといった要求が生じることがあるが、この要求に応じるためのサービスは今まで存在しなかった。
【０００５】
本発明は上記事情に鑑みてなされたものであり、販売管理、在庫管理、当せん管理等の少なくとも一つをオンラインで行うことにより、籤の売れ行きにリアルタイムに対応できる販売、在庫の管理を実現し、かつ、売り場係員の負担を軽減することのできる籤販売管理装置及び方法、並びに販売管理プログラムを提供することを目的とする。
【０００６】
【課題を解決するための手段】
上記した課題を解決するために請求項１に記載の発明は、売り場端末とは通信網を介して接続される籤販売管理装置であって、発売される籤に関する基本的情報を基に、発売枚数分の証票に印刷する籤データ及び販売情報を生成するデータ生成手段と、前記生成された販売情報を基に、印刷済みで配送先が未定の証票が存在する場合、その証票の配送指示を行い、印刷済みの証票が存在しない場合、未印刷の整理番号を持つ証票の印刷指示を行い、前記販売情報のそれぞれの該当するデータ項目を更新する販売情報管理手段とを備えたことを特徴とする籤販売管理装置である。
【０００７】
また、請求項２に記載の発明は請求項１に記載の籤販売管理装置において、前記販売情報管理手段が、前記売り場端末から籤が販売された情報を受信し、前記販売情報を更新する販売情報更新手段を備えることを特徴とする。
【０００８】
また、請求項３に記載の発明は請求項１または請求項２に記載の籤販売管理装置において、前記販売情報を基に、未印刷の整理番号に相当する証票の印刷指示を行うと共に配送指示を行い、前記指示された整理番号の証票を前記データ生成手段により生成される籤データに基づき印刷、あるいは配送後、前記販売情報のそれぞれの該当するデータ項目を更新する在庫情報管理手段を備えたことを特徴とする。
【０００９】
また、請求項４に記載の発明は請求項１〜３のいずれか１項に記載の籤販売管理装置において、前記売り場端末からの要求に基づき証票の当せん照合を行い、その結果を、前記通信網を介して前記要求のあった売り場端末に応答する当せん照合処理手段を備えたことを特徴とする。
【００１０】
また、請求項５に記載の発明は請求項１〜４のいずれか１項に記載の籤販売管理装置において、前記販売情報に基づき、配送先、または発売地域毎の残当せん本数データを前記売り場端末へ配信する残当せん本数データ配信手段を備えたことを特徴とする。
【００１１】
また、請求項６に記載の発明は、売り場端末とは通信網を介して接続される籤販売管理装置に用いられる籤販売管理方法であって、発売される籤に関する基本的情報を基に、発売枚数分の証票に印刷する籤データ及び販売情報を生成し、前記生成された販売情報を基に、印刷済みで配送先が未定の証票が存在する場合、その証票の配送指示を行い、印刷済みの証票が存在しない場合、未印刷の整理番号を持つ証票の印刷指示を行い、前記販売情報のそれぞれの該当するデータ項目を更新することを特徴とする籤販売管理方法である。
【００１２】
また、請求項７に記載の発明は請求項６に記載の籤販売管理方法において、前記売り場端末から籤が販売された情報を受信し、前記販売情報を更新することを特徴とする。
【００１３】
また、請求項８に記載の発明は請求項６または請求項７に記載の籤販売管理方法において、前記販売情報を基に、未印刷の整理番号に相当する証票の印刷指示を行うと共に配送指示を行い、前記指示された整理番号の証票を前記籤データに基づき印刷、あるいは配送後、前記販売情報のそれぞれの該当するデータ項目を更新することを特徴とする。
【００１４】
また、請求項９に記載の発明は請求項６〜８に記載の籤販売管理方法において、前記売り場端末からの要求に基づき証票の当せん照合を行い、その結果を、前記通信網を介して前記要求のあった売り場端末に応答することを特徴とする。
【００１５】
また、請求項１０に記載の発明は請求項６〜９に記載の籤販売管理方法において、前記販売情報に基づき、配送先、または発売地域毎の残当せん本数データを前記売り場端末へ配信することを特徴とする。
【００１６】
また、請求項１１に記載の発明は、売り場端末とは通信網を介して接続される籤販売管理装置に用いられる籤販売管理プログラムであって、発売される籤に関する基本的情報を基に、発売枚数分の証票に印刷する籤データ及び販売情報を生成するデータ生成ステップと、前記生成された販売情報を基に、印刷済みで配送先が未定の証票が存在する場合、その証票の配送指示を行い、印刷済みの証票が存在しない場合、未印刷の整理番号を持つ証票の印刷指示を行い、前記販売情報のそれぞれの該当するデータ項目を更新する販売情報管理ステップとをコンピュータに実行させる籤販売管理プログラムである。
【００１７】
また、請求項１２に記載の発明は請求項１１に記載のプログラムにおいて、前記販売情報管理ステップで、前記売り場端末から籤が販売された情報を受信し、前記販売情報を更新する販売情報更新ステップをコンピュータに実行させることを特徴とする。
【００１８】
また、請求項１３に記載の発明は請求項１１または請求項１２に記載のプログラムにおいて、前記販売情報を基に、未印刷の整理番号に相当する証票の印刷指示を行うと共に配送指示を行い、前記指示された整理番号の証票を前記籤データに基づき印刷、あるいは配送後、前記販売情報のそれぞれの該当するデータ項目を更新する在庫情報管理ステップをコンピュータに実行させることを特徴とする。
【００１９】
また、請求項１４に記載の発明は請求項１１〜１３のいずれか１項に記載のプログラムにおいて、前記売り場端末からの要求に基づき証票の当せん照合を行い、その結果を、前記通信網を介して前記要求のあった売り場端末に応答する当せん照合処理ステップをコンピュータに実行させることを特徴とする。
【００２０】
また、請求項１５に記載の発明は請求項１１〜１４のいずれか１項に記載のプログラムにおいて、前記販売情報に基づき、配送先、または発売地域毎の残当せん本数データを前記売り場端末へ配信する残当せん本数データ配信ステップをコンピュータに実行させることを特徴とする。
【００２１】
【発明の実施の形態】
図１は、本発明の籤販売管理方法を実現するビジネスモデル、及びその利用主体を説明するために引用した図である。
図１において、１は籤販売元、２は工場、３は籤売り場であり、籤販売元１が持つホストコンピュータ１０と籤売り場３毎に配置される売り場端末３０は、通信網２０を介してオンライン接続されるものとする。ここでは、通信網２０として、ＩＰ（Internet  Protocol）網が利用されるものとする。
【００２２】
籤の発売に先立ち、籤販売元１では、発売される籤に関する基本的な情報を基に、発売枚数分の籤に印刷する籤データ及び販売情報を作成する必要がある。但し、印刷データを生成するために必用な当たりの割当て方、ゲームパターン、照合用番号等については、基本的な情報を基に印刷データを作成する際に別途設定する必要がある。これら情報に基づき籤販売元１では工場２に対して製造指示を発し（ａ）、このことにより、工場２では籤が印刷された証票を製造して籤販売元１に納品（ｂ）した後、籤販売元１では売り場３へ配送（ｃ）することにより籤の販売準備を終える。
【００２３】
上記した準備作業の後、売り場３では籤販売を開始し、売り場端末３０を介して販売した籤の整理番号が送信される（ｄ）。なお、オンライン接続されていない売り場３でも、ロールまたはブック形式で一定の順序で販売することにより、そのロールまたはブックの販売が終了した時点で、ロールまたはブックの最終整理番号の情報のみを電話等で販売元１に知らせることで販売情報の管理を行うことが可能である。
【００２４】
一方、籤販売元１では、ホストコンピュータ１０により、売り場端末３０から送信された整理番号に該当する販売情報のデータを消し込む。そして、各売り場３の在庫量が決められた数量以下になったら、その売り場へ３の配送指示を行う（ｅ）。同時に、販売情報へ配送先を登録する。また、在庫が不足したら、工場２へ製造指示を行い（ｆ）、製造済みの整理番号の次整理番号から製造を指示する。製造後、先の販売情報に登録し、納入する。但し、製造後、売り場３へ直接配送してもかまわない（ｇ）。
なお、このとき、製造用のデータ（ゲームパターン等のくじに印字する内容）はあらかじめ作成しておき、籤の売れ行きに従い実際に印刷する。また、販売情報の中に販売された地域を判断するための販売地域コードを用いることで、地域毎の売り上げを管理することも可能となる。
【００２５】
また、籤販売元１では、売り場３からの要求に基づき当せん券の管理も行う（ｈ）。具体的に、ホストコンピュータ１０は、売り場から照合する整理番号と照合用番号が送信されたら販売情報を基にチェックを行い、その照合結果を売り場３へ回答する（ｉ）。
また、残当せん本数情報を売り場３へ提供し、各売り場３は、その残当せん本数情報を表示する。いずれも詳細は後述する。
【００２６】
図２は、図１に示すホストコンピュータの内部構成を機能展開して示したブロック図である。
以下に示す各ブロックは、具体的には、ＣＰＵならびにメモリを含む周辺ＬＳＩで構成され、ＣＰＵがメモリに記録されたプログラムを読み出し逐次実行することにより、そのブロックが持つ機能を実現するものであり、このことにより、本発明の籤販売管理装置が実現される。
【００２７】
本発明の籤販売管理装置は、通信インタフェース部１１と、データ生成部１２と、販売情報管理部１３と、在庫情報管理部１４と、当せん照合処理部１５と、残当せん本数データ配信部１６と、販売情報ＤＢ１７と、印刷データＤＢ１８で構成される。
通信インタフェース部１１は、通信網２０としてＩＰ網を使用しているため、ＴＣＰ／ＩＰ（Transport  Control  Protocol／Internet  Protocol）が実装される。データ生成部１２は、発売される籤に関する基本的情報を基に、発売枚数分の証票に印刷する籤データ及び販売情報を生成する機能を持つ。
【００２８】
また、販売情報管理部１３は、データ生成部１２により生成された販売情報を基に、印刷済みで配送先が未定の証票が存在する場合、その証票の配送指示を行い、印刷済みの証票が存在しない場合、未印刷の整理番号を持つ証票の印刷指示を行い、販売情報のそれぞれの該当するデータ項目を更新する機能を持つ。販売情報管理部１３は更に、売り場端末から籤が販売された情報を受信し、販売情報ＤＢ１７に格納される販売情報を更新する図示せぬ販売情報更新部を含む。
また、在庫情報管理部１４は、販売情報を基に、未印刷の整理番号に相当する証票の印刷指示を行うと共に配送指示を行い、指示された整理番号の証票をデータ生成部１２により生成される籤データに基づき印刷、あるいは配送後、販売情報のそれぞれの該当するデータ項目を更新する機能を持つ。
【００２９】
当せん照合処理部１５は、売り場端末３０からの要求に基づき証票の当せん照合を行い、その結果を、通信網２０を介して要求のあった売り場端末３０に応答する機能を持つ。また、残当せん本数データ配信部１６は、販売情報に基づき、配送先、または発売地域毎の残当せん本数データを売り場端末３０へ配信する機能を持つ。
なお、１７は、販売情報ＤＢ、１８は、印刷データＤＢであり、発売される籤に関する基本的情報を基に、販売情報、発売枚数分の証票に印刷する籤データのそれぞれが格納される。図３にその具体的なデータフィールドの内容が示されている。
【００３０】
図３〜図７は、図２に示す本発明実施形態の動作を説明するために引用した図であり、テータ生成部１２によるデータ生成のために必用な各種情報例（図３）、販売情報管理部１３の動作フローチャート（図４）、在庫情報管理部１４の動作フローチャート（図５）、当せん照合処理部１５の動作フローチャート（図６）、残当せん本数データ配信部１６により配信され、売り場端末３０に表示される残り当せん本数情報の一例（図７）のそれぞれを示す。
以下、図３〜図７を参照しながら図２に示す本発明実施形態の動作について詳細に説明する。
【００３１】
籤の発売に先立ち、本発明の籤販売管理装置は、例えば、図３（ａ）、図３（ｂ）に示される、籤に関する基本的な情報（発売基本情報、発売条件）を基に、データ生成部１２が、発売枚数分の籤に印刷する籤データ及び販売情報を作成する。
販売情報の一例は、図３（ｄ）に示されている。ここでは、ブロック、回号、支払期限、整理番号、照合用番号、等級、当せん金額、配送先、販売地域コード、販売済みフラグ、支払済みフラグ、印刷済みフラグがデータフィールドとして用意される。ここで、配送先と、販売地域コードに関するデータは逐一設定され、また、販売済みフラグ、支払済みフラグ、印刷済みフラグは、販売情報管理部１３、在庫情報管理部１４、当せん照合処理部１５により参照され、販売情報管理部１３の販売情報更新部によって更新されるものとする。
なお、印刷データを生成するために必用な当たりの割当て方、ゲームパターン、照合用番号等については、基本的な情報を、印刷データを作成する際に別途設定する必要がある。証票に印刷される印刷データの一例を図３（ｃ）に示す。
【００３２】
図４に示すフローチャートにおいて、証票を納品後、売り場３へ配送する場合、販売情報管理部１３は、販売情報ＤＢ１７に格納された販売情報を基に該当フラグ類（印刷済みフラグと配送データ）をチェックし（Ｓ４０１）、印刷済みで配送先が未決定の証票が存在する場合、その証票の配送指示を行う（Ｓ４０５）。
一方、印刷済みの証票が存在しないことが確認された場合、販売情報で未印刷の整理番号を持つ証票の製造指示を、データ生成部１２のデータで印刷指示を行う（Ｓ４０２）。そして、指示された整理番号の証票を製造後に納品し（Ｓ４０３、Ｓ４０４）、販売情報管理部１３は、更に販売情報の印刷済みフラグを更新する。販売情報管理部１３は、また、売り場３への配送指示を行い、販売情報の配送先、販売地域コードを更新する（Ｓ４０５）。
【００３３】
図５に示すフローチャートにおいて、証票を製造後、直接売り場へ配送する場合、在庫情報管理部１４は、販売情報ＤＢ１７に格納された販売情報を基に、データ生成部１２により生成されるデータで、販売情報で未印刷の整理番号を持つ証票の製造指示を行い、合わせて配送指示も行う（Ｓ５０１）。
次に、指示された整理番号の証票を製造後、販売情報の印刷済みフラグを更新する（Ｓ５０２）。そして、売り場３へ配送し、配送先、販売地域コードを更新する（Ｓ５０３）。
【００３４】
図６に示すフローチャートにおいて、売り場端末３０より、照合する整理番号と照合用番号が通信インタフェース部１１を介して受信したら（Ｓ６０１）、当せん照合処理部１５は、販売情報ＤＢ１７に格納される販売情報を基に以下の各種チェックを行い、照合結果が要求のあった売り場端末３０へ回答する（Ｓ６０６）。
なお、当せん金が支払われた場合には支払済み処理を行う。ここでは、オンラインで支払済の処理を行うので、証票の回収と当せん情報の消しこみ作業等が不要となる。
【００３５】
当せん照合処理部１５によるチェックに、支払期限のチェック（Ｓ６０２）と、販売済みのチェック（Ｓ６０３）と、支払い済みチェック（Ｓ６０４）と、照合用番号のチェック（Ｓ６０５）がある。
当せん照合処理部１５は、支払期限チェックにおいては、照合要求のあった整理番号の証票が支払期限内か否かをチェックし、販売済みチェックは、販売時に、販売された整理番号は消し込んでいるので、既に販売されている整理番号か否かをチェックする。また、支払済みチェックは、照合要求のあった整理番号の証票の当せん金額が０以外である場合に、その当せん金額が支払われたか否かをチェックする。また、照合用番号チェックは、整理番号と共に送信された照合用番号が正しいか否かをチェックする。照合結果は、通信インタフェース部１１、通信網２０を介して要求のあった売り場端末３０へ送信される（Ｓ６０６）。
【００３６】
図７に、残当せん本数データ配信部１６により各売り場端末３０に配信される残り当せん本数情報の一例が示されている。ここでは、販売情報をもとに、売り場毎や地域毎の残りの当せん本数が配信され、売り場では、売り場端末３０の表示部を介して配信された情報を表示する。
このことにより、顧客の購買意欲を高めることができる。
【００３７】
以上説明のように本発明は、販売管理、在庫管理、当せん管理等の少なくとも一つをオンラインで行うものであり、籤の売れ行きにリアルタイムに対応可能な販売、在庫の管理を行うビジネスモデルを実現する籤販売管理方法を提供し、また、売り場係員の負担を軽減する籤販売管理装置並びに籤販売管理プログラムを提供するものである。
なお、図２に示す通信インタフェース部１１、データ生成部１２、販売情報管理部１３、在庫情報管理部１４、当せん照合処理部１５、残当せん本数データ配信部１６のそれぞれで実行される手順をコンピュータ読取り可能な記録媒体に記録し、この記録媒体に記録されたプログラムをコンピュータシステムに読み込ませ、実行することにより、本発明の籤販売管理装置が実現されるものとする。ここでいうコンピュータシステムとは、ＯＳや周辺機器等のハードウアを含むものである。
【００３８】
更に、「コンピュータシステム」は、ＷＷＷシステムを利用している場合であれば、ホームページ提供環境（あるいは表示環境）も含むものとする。
また、「コンピュータ読取り可能な記録媒体」とは、ＲＯＭの他に、フレキシブルディスク、光磁気ディスク、ＣＤ−ＲＯＭ等の可搬媒体、コンピュータシステムに内蔵されるハードディスク等の記憶装置のことをいう。さらに「コンピュータ読取り可能な記録媒体」とは、インターネット等のネットワークや電話回線等の通信回線を介してプログラムが送信された場合のシステムやクライアントとなるコンピュータシステム内部の揮発性メモリ（ＲＡＭ）のように、一定時間プログラムを保持しているものも含むものとする。
【００３９】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００４０】
以上、この発明の実施形態について図面を参照して詳述してきたが、具体的な構成はこの実施形態に限られるものではなく、この発明の要旨を逸脱しない範囲の設計等も含まれる。
【００４１】
【発明の効果】
以上説明のように本発明によれば、販売情報管理手段が、データ生成手段により生成された販売情報を基に、印刷済みで配送先が未定の証票が存在する場合はその証票の配送指示を行い、印刷済みの証票が存在しない場合は未印刷の整理番号を持つ証票の印刷指示を行い、販売情報のそれぞれの該当するデータ項目を更新することにより、籤の売れ行きにリアルタイムに対応できる販売管理を実現可能な籤販売管理装置を提供することができる。
【００４２】
また、本発明によれば、販売情報更新手段が売り場端末から籤が販売された情報を受信し、販売情報ＤＢに格納された販売情報を更新することにより、販売前、販売直前は勿論のこと、販売開始後においても籤の売れ行きにリアルタイムに対応できる販売管理を実現可能な籤販売管理装置を提供することができる。
【００４３】
また、本発明によれば、在庫情報管理手段が、販売情報を基に未印刷の整理番号に相当する証票の印刷指示を行うと共に配送指示を行い、指示された整理番号の証票を籤データに基づき印刷、あるいは配送後、販売情報のそれぞれの該当するデータ項目を更新することにより、籤の売れ行きにリアルタイムに対応できる在庫管理を実現可能な籤販売管理装置を提供することができる。
【００４４】
また、本発明によれば、当せん照合処理手段が、売り場端末からの要求に基づき証票の当せん照合を行い、その結果を、通信網を介して要求のあった売り場端末に応答することにより、売り場係員の負担の大幅軽減をはかった籤販売管理装置を提供することができる。
【００４５】
また、本発明によれば、残当せん本数データ配信手段が、販売情報に基づき、配送先、または発売地域毎の残り当せん本数データを売り場端末へ配信することにより、顧客の購買意欲を高めることができ、籤の販売促進がはかれる籤販売管理装置を提供することができる。
【００４６】
また、本発明によれば、生成された販売情報を基に、印刷済みで配送先が未定の証票が存在する場合はその証票の配送指示を行い、印刷済みの証票が存在しない場合は未印刷の整理番号を持つ証票の印刷指示を行い、販売情報のそれぞれの該当するデータ項目を更新することにより、籤の売れ行きにリアルタイムに対応できる販売管理を実現できる。
【００４７】
また、本発明によれば、売り場端末から籤が販売された情報を受信し、販売情報を更新することにより、販売前、販売直前は勿論のこと、販売開始後においても籤の売れ行きにリアルタイムに対応できる販売管理を実現可能な籤販売管理装置を提供することができる。
【００４８】
また、本発明によれば、販売情報を基に未印刷の整理番号に相当する証票の印刷指示を行うと共に配送指示を行い、指示された整理番号の証票を籤データに基づき印刷、あるいは配送後、販売情報のそれぞれの該当するデータ項目を更新することにより、籤の売れ行きにリアルタイムに対応できる在庫管理を実現できる。
【００４９】
また、本発明によれば、売り場端末からの要求に基づき証票の当せん照合を行い、その結果を、通信網を介して要求のあった売り場端末に応答することにより、売り場係員の負担の大幅軽減をはかることができる。
【００５０】
また、本発明によれば、販売情報に基づき、配送先、または発売地域毎の残当せん本数データを前記売り場端末へ配信することにより、顧客の購買意欲を高めることができ、籤の販売促進をはかることができる。
【００５１】
また、本発明によれば、本発明の籤販売管理プログラムをコンピュータに実行させることにより、生成された販売情報を基に、印刷済みで配送先が未定の証票が存在する場合はその証票の配送指示を行い、印刷済みの証票が存在しない場合は未印刷の整理番号を持つ証票の印刷指示を行い、販売情報のそれぞれの該当するデータ項目を更新する。これにより、籤の売れ行きにリアルタイムに対応できる販売管理を実現できる籤販売管理装置を提供することができる。
【００５２】
また、本発明によれば、本発明の籤販売管理プログラムをコンピュータに実行させることにより、売り場端末から籤が販売された情報を受信し、前記販売情報を更新する。これにより、販売前、販売直前は勿論のこと、販売開始後においても籤の売れ行きにリアルタイムに対応できる販売管理を実現可能な籤販売管理装置を提供することができる。
【００５３】
また、本発明によれば、本発明の籤販売管理プログラムをコンピュータに実行させることにより、販売情報を基に未印刷の整理番号に相当する証票の印刷指示を行うと共に配送指示を行い、指示された整理番号の証票を籤データに基づき印刷、あるいは配送後、販売情報のそれぞれの該当するデータ項目を更新する。これにより、籤の売れ行きにリアルタイムに対応できる在庫管理を実現できる籤販売管理装置を提供することができる。
【００５４】
また、本発明によれば、本発明の籤販売管理プログラムをコンピュータに実行させることにより、売り場端末からの要求に基づき証票の当せん照合を行い、その結果を、通信網を介して要求のあった売り場端末に応答する。これにより、売り場係員の負担の大幅軽減をはかった籤販売管理装置を提供することができる。
【００５５】
また、本発明によれば、本発明の籤販売管理プログラムをコンピュータに実行させることにより、販売情報に基づき、配送先、または発売地域毎の残当せん本数データを売り場端末へ配信する。これにより、顧客の購買意欲を高めることができ、籤の販売促進がはかれる籤販売管理装置を提供することができる。
【図面の簡単な説明】
【図１】本発明の籤販売管理方法を実現するビジネスモデル、及びその利用主体を説明するために引用した図である。
【図２】図１に示すホストコンピュータの内部構成を機能展開して示したブロック図である。
【図３】本発明実施形態の動作を説明するために引用した図であり、テータ生成部によるデータ生成のために必用な各種情報の一例を示す図である。
【図４】本発明実施形態の動作を説明するために引用した図であり、販売情報管理部の動作フローチャートである。
【図５】本発明実施形態の動作を説明するために引用した図であり、在庫情報管理部の動作フローチャートである。
【図６】本発明実施形態の動作を説明するために引用した図であり、当せん照合処理部の動作フローチャートである。
【図７】本発明実施形態の動作を説明するために引用した図であり、売り場端末に表示される残り当せん本数情報の一例を示す図である。
【符号の説明】
１…籤販売元、２…工場、３…売り場、１０…ホストコンピュータ、１１…通信インタフェース部、１２…データ生成部、１３…販売情報管理部、１４…在庫情報管理部、１５…当せん照合処理部、１６…残当せん本数データ配信部、１７…販売情報ＤＢ、１８…印刷データＤＢ、２０…通信網、３０…売り場端末
【図１】
2004199582.tif 000003
【図２】
2004199582.tif 000004
【図３】
2004199582.tif 000005
【図４】
2004199582.tif 000006
【図５】
2004199582.tif 000007
【図６】
2004199582.tif 000008
【図７】
2004199582.tif 000009